(57)【要約】【課題】高い冷却効果を実現できるダイカスト用金型と、このダイカスト用金型を使用したダイカスト法の提供。【解決手段】ダイカスト用金型１は、固定型１０と固定型１０に対して進退可能な可動型２０とを備えている。固定型１０又は可動型２０の少なくとも一方の内部には周方向冷却媒体通路６０が形成されている。銅又は銅合金からなる冷却用部材５４が周方向冷却媒体通路６０の始点部６０Ａと終点部６０Ｂにおいて冷却媒体と接触するように配設されている。冷却用部材５４は、周方向冷却媒体通路６０の始点部６０Ａに冷却媒体を供給する冷却媒体供給路６１を画成しているとともに、周方向冷却媒体通路６０の終点部６０Ｂから冷却媒体を排出する冷却媒体排出路６２を画成している。【選択図】図７
2015024413.tif 000002
【特許請求の範囲】
【請求項１】
固定型と、該固定型に対して進退可能な可動型と、を備え、該固定型又は該可動型の少なくとも一方の内部には周方向冷却媒体通路が形成されるダイカスト用金型において、銅又は銅合金からなる冷却用部材が該周方向冷却媒体通路の始点部と終点部を流れる冷却媒体と接触するように配設されていることを特徴とするダイカスト用金型。
【請求項２】
該冷却用部材は、該周方向冷却媒体通路の始点部に冷却媒体を供給する冷却媒体供給路を画成しているともに、該周方向冷却媒体通路の終点部から冷却媒体を排出する冷却媒体排出路を画成していることを特徴とする請求項１に記載のダイカスト用金型。
【請求項３】
請求項１又は２に記載のダイカスト用金型を用いてダイカストを行うことを特徴とするダイカスト法。
【発明の詳細な説明】
【技術分野】
【０００１】
本発明は、ダイカスト用金型と、このダイカスト用金型を使用したダイカスト法に関するものである。
【背景技術】
【０００２】
ダイカスト用金型の内部にリング状の冷却媒体通路を形成することが下記特許文献１に所載されている。特許文献１においては、冷却媒体入口から導入された冷却水等の冷却媒体がリング状の冷却媒体通路を通って冷却媒体出口から排出されるようにリング状の冷却媒体通路に仕切板を配設するようにしている。
【先行技術文献】
【特許文献】
【０００３】
【特許文献１】特開２００２−７９３５８号公報
【発明の概要】
【発明が解決しようとする課題】
【０００４】
ダイカスト用金型の固定型又は可動型が成形面側に円筒部を備える場合、円筒部の周方向に沿って周方向冷却媒体通路が形成されることがある。しかし、特許文献１のように冷却媒体入口と冷却媒体出口の中間位置に仕切板を配設するようにした場合、仕切板の近傍において冷却媒体が滞留してしまい、仕切板の近傍における冷却効果が低下するという問題がある。
【０００５】
本発明は上述した課題を解決するために成されたものであり、その目的は、金型内部に周方向冷却媒体通路を形成する場合に高い冷却効果を実現できるダイカスト用金型と、このダイカスト用金型を使用したダイカスト法を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明は、固定型（１０）と、該固定型（１０）に対して進退可能な可動型（２０）と、を備え、該固定型（１０）又は該可動型（２０）の少なくとも一方の内部には周方向冷却媒体通路が形成されるダイカスト用金型（１）において、銅又は銅合金からなる冷却用部材（５４）が該周方向冷却媒体通路（６０）の始点部（６０Ａ）と終点部（６０Ｂ）を流れる冷却媒体と接触するように配設されていることを特徴とするものである。
【０００８】
ここで、該冷却用部材（５４）は、該周方向冷却媒体通路（６０）の始点部（６０Ａ）に冷却媒体を供給する冷却媒体供給路（６１）を画成しているとともに、該周方向冷却媒体通路（６０）の終点部（６０Ｂ）から冷却媒体を排出する冷却媒体排出路（６２）を画成していることが好ましい。
【０００９】
なお、本発明に係るダイカスト法は、上述したダイカスト用金型（１）を用いてダイカストを行うことを特徴とするものである。
【発明の効果】
【００１０】
本発明によれば、金型内部に周方向冷却媒体通路を形成する場合に高い冷却効果を実現することができる。
【図面の簡単な説明】
【００１１】
【図１】一般的なダイカスト用金型を備えた鋳造設備の全体構成例を示す断面図であり、特に、溶湯の充填前の状態を示している。
【図２】一般的なダイカスト用金型を備えた鋳造設備の全体構成例を示す断面図であり、特に、溶湯の充填後の状態を示している。
【図３】本実施形態に係るダイカスト用金型の可動ダイスの平面図であり、キャビティを画成する成形面側の平面が示されている。
【図４】図３の側面図である。
【図５】本実施形態に係るダイカスト用金型の可動ダイスを構成する第１本体部の背面図であり、円周溝に合金工具鋼と冷却用部材が埋め込まれた後の状態が示されている。
【図６】図３のＡ−Ａ線矢視方向における断面図である。
【図７】図３のＢ−Ｂ線矢視方向における展開断面図である。
【発明を実施するための形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
本実施形態に係るダイカスト用金型及びこのダイカスト用金型を用いるダイカスト法について図面に基づいて説明する。まずは図１及び図２に基づいて、本実施形態に係るダイカスト用金型が用いられる一般的な鋳造設備の全体構成についての説明を行う。ここで、図１および図２は、一般的な鋳造設備の全体構成例を示す断面図であり、特に、図１は溶湯の充填前の状態を示しており、図２は溶湯の充填後の状態を示している。図１及び図２に示されるように、ダイカスト用金型１は、ダイカストを行う鋳造設備の主要構成部材として設けられている。
【００１４】
例示の一般的なダイカスト用金型１は、固定ダイス１２と固定ホルダ１１とを備える固定型１０と、可動ダイス２２と可動ホルダ２１とを備える可動型２０と有している。可動型２０は固定型１０に対して進退可能であり、固定ダイス１２と可動ダイス２２とによってキャビティ１ａを画成する。また、ダイカスト用金型１には、スリーブ３０が設けられている。スリーブ３０は、ビスケット１ｂ、ランナー１ｃ、及びゲート１ｄを介してキャビティ１ａと連通している。また、スリーブ３０内には、プランジャチップ３１が設けられている。プランジャチップ３１は、スリーブ３０内を進退可能である。さらに、プランジャチップ３１の前進方向対向位置であるビスケット１ｂの位置には、分流子４０が設けられている。プランジャチップ３１がスリーブ３０内を前進して溶湯を押圧すると、溶湯２はビスケット１ｂ、ランナー１ｃ、及びゲート１ｄを介してキャビティ１ａに充填される。なお、図１に示される状態から、図２に示される状態へとプランジャチップ３１を前進させることにより、プランジャチップ３１によって押圧されてスリーブ３０内を送られてきた溶湯２が、分流子４０に衝突する。そして、分流子４０に衝突した溶湯２は、分流子４０によってランナー１ｃ及びゲート１ｄへと導かれるように構成されている。
【００１５】
つぎに、本実施形態に係るダイカスト用金型について、図３〜図７を用いて詳細に説明を行う。ここで、図３は、本実施形態に係るダイカスト用金型の可動ダイス５０の平面図であり、キャビティ（１ａ）を画成する成形面側が示されている。図示される本実施形態に係るダイカスト用金型の可動ダイス５０は、不図示の可動ホルダ（２１）に固定設置されることにより可動型（２０）を構成し、不図示の固定型（１０）の固定ダイス（１２）と共にキャビティ（１ａ）を画成するものである。
【００１６】
可動ダイス５０は、ＳＫＤ６１等の合金工具鋼を母材とし成形面側に円筒部５１Ａを有する第１本体部５１と、同じくＳＫＤ６１等の合金工具鋼を母材とする第２本体部５２（図４参照）とを備えている。図５に示すように、第１本体部５１の反成形面側には円周溝５１Ｂが形成されており、この円周溝５１ＢにはＳＫＤ６１等の合金工具鋼５３と無酸素銅からなる冷却用部材５４とが埋め込まれている。そして、第１本体部５１の円周溝５１Ｂに合金工具鋼５３と冷却用部材５４を埋め込んだ後に、第１本体部５１、合金工具鋼５３、冷却用部材５４及び第２本体部５２を拡散接合等の公知の異材接合技術を採用することにより一体接合している。なお、本実施形態の冷却用部材５４は、銅又は銅合金のなかでも純度が高く、熱伝導率が非常に高いという性質を有する無酸素銅としているが、冷却用部材５４は銅又は銅合金であればよい。
【００１７】
図６に示すように、第１本体部５１の円周溝５１Ｂの溝底５１ａは第１本体部５１の円筒部５１Ａの先端部の内部に位置している。円周溝５１Ｂに埋め込まれた合金工具鋼５３の先端面５３ａは第１本体部の円周溝５１Ｂの溝底５１ａと当接しており、合金工具鋼５３の後端面５３ｂは第２本体部５２と当接している。合金工具鋼５３の先端面５３ａには溝５３ｃが形成されており、第１本体部５１の溝底５１ａと合金工具鋼５３の溝５３ｃとにより、第１本体部５１の円筒部５１Ａの先端部の内部には周方向に沿って周方向冷却媒体通路６０が画成されている。図７に示すように、冷却用部材５４の先端面５４ａも第１本体部５１の円周溝５１Ｂの溝底５１ａと当接するように埋め込まれており、冷却用部材５４の後端面５４ｂは第２本体部５２と当接している。なお、第１本体部５１の円筒部５１Ａの内部において無酸素銅５４が埋め込まれている範囲には周方向冷却媒体通路６０が存在しないようになっている。
【００１８】
図５に示すように、第１本体部５１の円周溝５１Ｂに合金工具鋼５３と冷却用部材５４が埋め込まれることにより、冷却媒体を周方向冷却媒体通路６０に供給するための冷却媒体供給路６１と、冷却媒体を周方向冷却媒体通路６０から排出するための冷却媒体排出路６２とが画成されている。冷却媒体供給路６１と冷却媒体排出路６２は、冷却用部材５４の後端から先端に亘って形成された溝５４ｃを合金工具鋼５３で塞ぐことによって画成されている。図７に示すように、冷却媒体供給路６１は、周方向冷却媒体通路６０と直交する方向に延びるように画成されており、冷却媒体通路６０の始点部６０Ａ（冷却媒体通路６０における冷却媒体の入口）まで冷却媒体を供給する。また、冷却媒体排出路６２は、周方向冷却媒体通路６０と直交する方向に延びるように画成されており、冷却媒体通路６０の終点部６０Ｂ（冷却媒体通路６０における冷却媒体の出口）から冷却媒体を排出する。
【００１９】
図７に示すように、第２本体部５２には、第１本体部５１内に画成された冷却媒体供給路６１と連通する冷却媒体供給孔６３と、第１本体部５１内に画成された冷却媒体排出路６２と連通する冷却媒体排出路孔６４が形成されている。
【００２０】
本実施形態に係る可動ダイス５０によれば、第２本体部５２の冷却媒体供給孔６３に供給された冷却水等の冷却媒体は、第１本体部５１内の冷却媒体供給路６１によって周方向冷却媒体通路６０の始点部６０Ａへと導かれる。そして、周方向冷却媒体通路６０を流れた冷却媒体は周方向冷却媒体通路６０の終点部６０Ｂから第１本体部５１内の冷却媒体排出路６２を介して第２本体部５２の冷却媒体排出孔６４へと排出される。図７に示されるように、周方向冷却媒体通路６０の始点部６０Ａと終点６０Ｂ部の周方向の延長線上には冷却用部材５４が配設されており、冷却用部材５４は周方向冷却媒体通路６０の始点部６０Ａと終点部６０Ｂを流れる冷却媒体と接触するようになっている。従って、周方向冷却媒体通路６０内において冷却媒体が滞留するようなことはなく、周方向冷却媒体通路６０が存在しない部分における溶湯（２）からの熱は冷却用部材５４により除去されるので、高い冷却効果を実現することができる。
【００２１】
以上、本発明の好適な実施形態について説明したが、本発明の技術的範囲は上記実施形態に記載の範囲には限定されない。上記実施形態には、多様な変更又は改良を加えることが可能である。
【００２２】
例えば、上述した実施形態では、本発明を可動型に適用した場合の形態例を示したが、固定型に対しても本発明を適用することが可能である。
【００２３】
また、上述した実施形態では、本発明をダイス全体に適用した場合の形態例を示したが、ダイスの一部を構成する埋子に対しても本発明を適用することが可能である。
【００２４】
また、上述した実施形態では、本発明を一つの円筒部が設けられるダイスに適用した場合の形態例を示したが、複数の円筒部が連結して設けられるダイスに適用してもよく、例えば、シリンダブロックのウォータジャケット成形用のダイスに適用してもよい。
【符号の説明】
【００２５】
１      ダイカスト用金型
１ａ    キャビティ
１ｂ    ビスケット
１ｃ    ランナー
１ｄ    ゲート
２      溶湯
１０    固定型
１１    固定ホルダ
１２    固定ダイス
２０    可動型
２１    可動ホルダ
２２    可動ダイス
３０    スリーブ
３１    プランジャチップ
４０    分流子
５０    可動ダイス
５１    第１本体部
５１Ａ  円筒部
５１Ｂ  円周溝
５２    第２本体部
５３    合金工具鋼
５４    冷却用部材
６０    周方向冷却媒体通路
６０Ａ  始点
６０Ｂ  終点
６１    冷却媒体供給路
６２    冷却媒体排出路
６３    冷却媒体供給孔
６４    冷却媒体排出孔
【図１】
2015024413.tif 000003
【図２】
2015024413.tif 000004
【図３】
2015024413.tif 000005
【図４】
2015024413.tif 000006
【図５】
2015024413.tif 000007
【図６】
2015024413.tif 000008
【図７】
2015024413.tif 000009
【手続補正書】
【提出日】平成26年11月10日(2014.11.10)
【手続補正１】
【補正対象書類名】特許請求の範囲
【補正対象項目名】請求項１
【補正方法】変更
【補正の内容】
【請求項１】
固定型と、該固定型に対して進退可能な可動型と、を備え、該固定型又は該可動型の少なくとも一方には円筒部を備え、該円筒部の内部には、周方向に沿って周方向冷却媒体通路が形成されるダイカスト用金型において、銅又は銅合金からなる冷却用部材が該周方向冷却媒体通路の始点部と終点部を流れる冷却媒体と接触するように配設されていることを特徴とするダイカスト用金型。
【手続補正２】
【補正対象書類名】明細書
【補正対象項目名】０００７
【補正方法】変更
【補正の内容】
【０００７】
本発明は、固定型（１０）と、該固定型（１０）に対して進退可能な可動型（２０）と、を備え、該固定型（１０）又は該可動型（２０）の少なくとも一方には円筒部を備え、該円筒部の内部には、周方向に沿って周方向冷却媒体通路が形成されるダイカスト用金型（１）において、銅又は銅合金からなる冷却用部材（５４）が該周方向冷却媒体通路（６０）の始点部（６０Ａ）と終点部（６０Ｂ）を流れる冷却媒体と接触するように配設されていることを特徴とするものである。